(57)【要約】【課題】ノーズ部の先端幅を大きくして打ち込み時の姿勢を安定させることができ、かつ、打ち込み工具が前傾した状態でも射出口の位置が容易に判別できる打ち込み工具を提供する。【解決手段】釘を打ち出すためのドライバ１５を往復動可能に案内するノーズ部２０を工具本体１１の先端に設け、ノーズ部２０の先端に開口する射出口２０ａから釘を射出可能にした打ち込み工具１０であって、ノーズ部２０は、ドライバ１５の前側を支持する前側部材２１と、１５の後側を支持する後側部材２２と、を備える。後側部材２２の先端幅Ｗ２は前側部材２１の先端幅Ｗ１よりも小さく形成されている。【選択図】図１
2020011379.tif 000002
【特許請求の範囲】
【請求項１】
釘を打ち出すためのドライバを往復動可能に案内するノーズ部を工具本体の先端に設け、前記ノーズ部の先端に開口する射出口から釘を射出可能にした打ち込み工具であって、
前記ノーズ部は、前記ドライバの前側を支持する前側部材と、前記ドライバの後側を支持する後側部材と、を備え、
前記後側部材の先端幅は前記前側部材の先端幅よりも小さく形成されていることを特徴とする、打ち込み工具。
【請求項２】
前記後側部材は前記前側部材とは異なる色彩を有することを特徴とする、請求項１記載の打ち込み工具。
【請求項３】
前記後側部材または前記前側部材の少なくともいずれかにメッキ又は塗装による表面処理が施されていることで、前記後側部材は前記前側部材とは異なる色彩を有することを特徴とする、請求項２記載の打ち込み工具。
【請求項４】
前記後側部材は、前記射出口へ向かって幅が狭くなる先細り形状を備えることを特徴とする、請求項１〜３のいずれか１項に記載の打ち込み工具。
【請求項５】
前記後側部材の先端幅が前記射出口の幅と等しいことを特徴とする、請求項１〜４のいずれか１項に記載の打ち込み工具。
【請求項６】
前記後側部材は表面に突起を備え、前記突起を前記後側部材の他の部分とは異なる色彩としたことを特徴とする、請求項１〜５のいずれか１項に記載の打ち込み工具。
【発明の詳細な説明】
【技術分野】
【０００１】
この発明は、例えばフロア施工などに使用される打ち込み工具に関する。
【背景技術】
【０００２】
この種の打ち込み工具は、被打込材に工具先端のノーズ部を押し付けて釘を打ち込むため、ノーズ部の先端幅を大きくすることで打ち込み時の姿勢を安定させることができる。一方で、ノーズ部の先端幅を大きくし過ぎると射出口の位置が分かりにくくなり、狙いの位置に釘を打ち込めないという問題がある。
【０００３】
このような問題に関し、特許文献１には、ノーズ部の先端前面に凹部を設け、この凹部を打ち込み位置の目印と使用できるようにした発明が開示されている。この発明によれば、凹部によって射出口の位置が分かるので、ノーズ部の先端幅を大きくしても狙いの位置に釘を打ち込みやすくなる。
【先行技術文献】
【特許文献】
【０００４】
【特許文献１】特許第５３５４８３９号公報
【発明の概要】
【発明が解決しようとする課題】
【０００５】
ところで、フロア材をさね接ぎによって施工する場合、打ち込み工具を４５度の角度で前傾させてステープル釘をフロア材のさねの角隅部に打ち込む（図５参照）。このとき、打ち込み工具は前傾しているため、打ち込み工具の前面を見ることはできない。よって、特許文献１のように前面に目印を付けた構成では、目印を見ることができない場合があった。
【０００６】
そこで、本発明は、ノーズ部の先端幅を大きくして打ち込み時の姿勢を安定させることができ、かつ、打ち込み工具が前傾した状態でも射出口の位置が容易に判別できる打ち込み工具を提供することを課題とする。
【課題を解決するための手段】
【０００７】
本発明は、上記した課題を解決するためになされたものであり、以下を特徴とする。
【０００８】
請求項１記載の発明は、釘を打ち出すためのドライバを往復動可能に案内するノーズ部を工具本体の先端に設け、前記ノーズ部の先端に開口する射出口から釘を射出可能にした打ち込み工具であって、前記ノーズ部は、前記ドライバの前側を支持する前側部材と、前記ドライバの後側を支持する後側部材と、を備え、前記後側部材の先端幅は前記前側部材の先端幅よりも小さく形成されていることを特徴とする。
【０００９】
請求項２に記載の発明は、上記した請求項１に記載の発明の特徴点に加え、前記後側部材は前記前側部材とは異なる色彩を有することを特徴とする。
【００１０】
請求項３に記載の発明は、上記した請求項２に記載の発明の特徴点に加え、前記後側部材または前記前側部材の少なくともいずれかにメッキ又は塗装による表面処理が施されていることで、前記後側部材は前記前側部材とは異なる色彩を有することを特徴とする。
【００１１】
請求項４に記載の発明は、上記した請求項１〜３のいずれかに記載の発明の特徴点に加え、前記後側部材は、前記射出口へ向かって幅が狭くなる先細り形状を備えることを特徴とする。
【００１２】
請求項５に記載の発明は、上記した請求項１〜４のいずれかに記載の発明の特徴点に加え、前記後側部材の先端幅が前記射出口の幅と等しいことを特徴とする。
【００１３】
請求項６に記載の発明は、上記した請求項１〜５のいずれかに記載の発明の特徴点に加え、前記後側部材は表面に突起を備え、前記突起を前記後側部材の他の部分とは異なる色彩としたことを特徴とする。
【発明の効果】
【００１４】
請求項１に記載の発明は上記の通りであり、ノーズ部は、ドライバの前側を支持する前側部材と、ドライバの後側を支持する後側部材と、を備え、後側部材の先端幅は前側部材の先端幅よりも小さく形成されている。このような構成によれば、前側部材の先端幅を大きくすることでノーズ部の先端幅が大きくなり、打ち込み時の姿勢を安定させることができる。また、後側部材は先端幅が小さいので、この後側部材を目印にして射出口の位置を判別することができる。よって、打ち込み時の姿勢を安定させることと、射出位置を確認できることとを両立させることができる。また、表面に凹凸を形成しなくても射出位置の目印表示を実現できる。表面に凹凸を形成しない場合には、凹凸形状がフロア材等の表面を傷付けることもない。
【００１５】
また、請求項２に記載の発明は上記の通りであり、後側部材は前側部材とは異なる色彩を有する。このような構成によれば、後側部材の色彩が異なるので、この後側部材を目印にして射出口の位置を判別することができる。
【００１６】
また、請求項３に記載の発明は上記の通りであり、後側部材と前側部材とを異なる色彩とするために、後側部材または前側部材の少なくともいずれかにメッキ又は塗装による表面処理が施されている。このような構成によれば、例えばシールのようなものとは違って容易には剥がれ落ちないので、射出位置の目印表示の耐久性を高めることができる。
【００１７】
また、請求項４に記載の発明は上記の通りであり、後側部材は、先細り形状を備える。このような構成によれば、後側部材の幅が射出位置に向けて絞り込まれるので、更に釘の打ち込み位置を狙いやすくすることができる。
【００１８】
また、請求項５に記載の発明は上記の通りであり、後側部材の先端幅が射出口の幅と等しい。このような構成によれば、射出口の位置をより正確に知ることができる。
【００１９】
また、請求項６に記載の発明は上記の通りであり、後側部材は表面に突起を備え、突起を後側部材の他の部分とは異なる色彩とした。このような構成によれば、突起を使用することで射出口の位置を目立たせることができる。
【図面の簡単な説明】
【００２０】
【図１】打ち込み工具の外観図である。
【図２】打ち込み工具の断面図である。
【図３】（ａ）ノーズ部の一部拡大斜視図、（ｂ）ノーズ部を後から見た一部拡大図である。
【図４】前側部材を後ろから見た一部拡大図である。
【図５】打ち込み工具の使用状態図である。
【図６】変形例１に係る（ａ）ノーズ部の一部拡大斜視図、（ｂ）ノーズ部を後から見た一部拡大図である。
【図７】変形例１に係る前側部材を後ろから見た一部拡大図である。
【図８】変形例２に係るノーズ部の一部拡大斜視図である。
【発明を実施するための形態】
【００２１】
本発明の実施形態について、図を参照しながら説明する。
【００２２】
本実施形態に係る打ち込み工具１０は、例えばフロア材のさね継ぎ作業に使用可能なものであり、図１に示すように、内部に打撃機構を備えた工具本体１１と、工具本体１１の後方に配置されたグリップ１２と、グリップ１２に操作可能に設けられたトリガ１４と、工具本体１１の先端付近に接続されたマガジン１３と、工具本体１１の先端から突出するように設けられたノーズ部２０と、を備える。
【００２３】
工具本体１１に内蔵された打撃機構は、公知の方法により作動するものであり、例えば圧縮空気、ガス燃料の爆発、バネの復元力などの力を利用してドライバ１５を作動させる。図２に示すように、ドライバ１５は釘を打ち出すためにノーズ部２０の方向へと移動可能となっており、打撃機構が衝撃的な力を発生させたときに釘の打ち込み方向に移動し、ノーズ部２０内にセットされた釘を打ち出すようになっている。
【００２４】
この打ち込み工具１０を使用するときには、グリップ１２を握り込んで把持し、トリガ１４を引き操作する。この操作により上記した打撃機構が作動して釘が打ち出される。
【００２５】
なお、マガジン１３内には、コ字形のステープル釘を連結した連結釘が収容されている。この連結釘は、プッシャ１６により前方へと押し付けられており、先頭の釘がノーズ部２０の方向（打ち込み動作前のドライバ１５の真下）へと順次供給されるようになっている。
【００２６】
ノーズ部２０は、被打込材３０に対して押し付け可能に突出しており、本実施形態においては安全装置の一部としての機能も果たす。すなわち、このノーズ部２０は、釘打ち込み方向に往復動可能に設けられており、その先端が工具本体１１から突出している。このノーズ部２０を被打込材３０に押し付けると、ノーズ部２０が工具本体１１に対して相対的に上方に移動する。このようにノーズ部２０が上方に移動すると、図示しないスイッチなどが押されて安全装置が解除され、釘の打ち込みが可能となる。言い換えると、ノーズ部２０が被打込材３０に押し付けられて上方に移動するまでは、トリガ１４が操作できない、またはトリガ１４を操作しても釘が打ち出されないように構成されている。
【００２７】
このノーズ部２０の先端には、図３等に示すように、射出口２０ａが開口形成されており、この射出口２０ａから釘を射出可能になっている。射出口２０ａは、ステープル釘を１本ずつ射出するので横長に形成されている。また、このノーズ部２０の前面及び後面は、釘の打ち出し方向に平行な平行面２０ｂと、平行面２０ｂよりも先端側に設けられた傾斜面２０ｃと、を備える。前後の傾斜面２０ｃは、それぞれ釘の打ち出し方向に対して約４５度の角度で傾斜しており、前側の傾斜面２０ｃと後側の傾斜面２０ｃとがノーズ部２０の先端においてほぼ直角に交わっている。
【００２８】
このノーズ部２０は、ドライバ１５の前側を支持する前側部材２１と、ドライバ１５の後側を支持する後側部材２２と、がボルト２３によって前後に結合されて構成されている。この前側部材２１と後側部材２２とが前後に合わさることで、前側部材２１と後側部材２２との間に釘の射出経路が形成されている。この射出経路は先端において開口して射出口２０ａを形成している。打撃機構が作動するとこの射出経路内をドライバ１５が往復動して釘が打ち込まれる。
【００２９】
前側部材２１は、図３及び図４に示すように、ボルト２３を取り付けるために設けられた一対のボルト取付部２１ａと、ボルト取付部２１ａの先端側に連続する平行面部２１ｂと、平行面部２１ｂの先端側に連続する傾斜面部２１ｃと、を備える。平行面部２１ｂは、ノーズ部２０の平行面２０ｂを形成する部位であり、前面及び後面が釘の射出方向と平行に形成されている。傾斜面部２１ｃは、ノーズ部２０の傾斜面２０ｃを形成する部位であり、前面及び後面が釘の射出方向に対して傾いている。この前側部材２１の後面中央には上下に溝２１ｄが形成されており、この溝２１ｄを後側部材２２で覆うことで釘の射出経路が形成されている。
【００３０】
後側部材２２は、ボルト２３を取り付けるために設けられた一対のボルト取付部２２ａと、ボルト取付部２２ａの先端側に連続する平行面部２２ｂと、平行面部２２ｂの先端側に連続する傾斜面部２２ｃと、を備える。平行面部２２ｂは、ノーズ部２０の平行面２０ｂを形成する部位であり、前面及び後面が釘の射出方向と平行に形成されている。傾斜面部２２ｃは、ノーズ部２０の傾斜面２０ｃを形成する部位であり、前面が釘の射出方向に対して傾いている。なお、本実施形態においては、平行面部２２ｂは後方から見て先細り形状となっており、また、傾斜面部２２ｃも後方から見て先細り形状となっている。
【００３１】
ところで、図３（ｂ）に示すように、後側部材２２の先端幅Ｗ２は前側部材２１の先端幅Ｗ１よりも小さく形成されている。また、後側部材２２は前側部材２１とは異なる色彩を有している。具体的には、前側部材２１はメッキによる表面処理を施されて金属色となっており、後側部材２２は黒染めの塗装による表面処理が施されて黒色となっている。このように構成することで、図５に示すように、被打込材３０のさね３１に釘を打ち込むときでも射出口２０ａの位置を把握しやすくなっている。
【００３２】
すなわち、フロア材を下地材に釘固定するときは、ノーズ部２０の先端を被打込材３０のさね３１の角隅部３２に当てて釘を打ち込む。このとき、作業者はノーズ部２０を後方から見ながら釘の打ち込み位置を確認することになる。本実施形態の後側部材２２の先端幅Ｗ２は、前側部材２１の先端幅Ｗ１（すなわちノーズ部２０の先端幅）よりも小さくなっており、後側部材２２の延長線上に射出口２０ａが設けられているので、作業者は後側部材２２を見ることで射出口２０ａの位置を予測して作業することができる。特に、本実施形態では、後側部材２２の先端幅Ｗ２が射出口２０ａの幅と等しいので、打ち込み位置を正確に予測して作業することができる。そして、後側部材２２は視認しやすいように前側部材２１とは異なる色彩となっており、暗所等の作業であっても射出口２０ａの位置を容易に識別することができる。
【００３３】
以上説明したように、本実施形態によれば、ノーズ部２０は、ドライバ１５の前側を支持する前側部材２１と、ドライバ１５の後側を支持する後側部材２２と、を備え、後側部材２２の先端幅Ｗ２は前側部材２１の先端幅Ｗ１よりも小さく形成されており、後側部材２２は前側部材２１とは異なる色彩を有する。このような構成によれば、前側部材２１の先端幅Ｗ１を大きくすることでノーズ部２０の先端幅が大きくなり、打ち込み時の姿勢を安定させることができる。また、後側部材２２は先端幅が小さく色彩が異なるので、この後側部材２２を目印にして射出口２０ａの位置を判別することができる。よって、打ち込み時の姿勢を安定させることと、射出位置を確認できることとを両立させることができる。また、表面に凹凸を形成しなくても射出位置の目印表示を実現できるので、凹凸形状がフロア材等の表面を傷付けることもない。
【００３４】
また、後側部材２２と前側部材２１とを異なる色彩とするために、後側部材２２または前側部材２１の少なくともいずれかにメッキ又は塗装による表面処理が施されている。このような構成によれば、例えばシールのようなものとは違って容易には剥がれ落ちないので、射出位置の目印表示の耐久性を高めることができる。
【００３５】
また、複数の部材（前側部材２１と後側部材２２）を組み合わせることで色彩の違いを実現しているので、射出位置を表すために、どちらか一方の部材を部分的に着色したり塗装を塗り分けたりする必要が無い。特にメッキや黒染めなどは部分的に色彩を変える事が困難であるが、前側部材２１と後側部材２２に異なる表面処理を施すだけで良いので、作業工程を増やすことがなく、生産コストを抑える事ができる。
【００３６】
また、後側部材２２は、射出口２０ａへ向かって幅が狭くなる先細り形状を備える。このような構成によれば、後側部材２２の幅が射出位置に向けて絞り込まれるので、更に釘の打ち込み位置を狙いやすくすることができる。
【００３７】
また、後側部材２２の先端幅Ｗ２が射出口２０ａの幅と等しい。このような構成によれば、射出口２０ａの位置をより正確に知ることができる。
【００３８】
なお、後側部材２２の形状は上記した実施形態の形状に限らず、打ち込み工具１０の使用釘等に応じて適宜変更可能である。例えば図６及び図７に示すように、平行面部２２ｂのみを後方から見て先細り形状とし、傾斜面部２２ｃは先細り形状としなくてもよい。このような形状であっても、後側部材２２は全体として先細り形状で形成されているので、後側部材２２の幅が射出位置に向けて絞り込まれており、釘の打ち込み位置を狙いやすくすることができる。
【００３９】
また、上記した実施形態においては、前側部材２１の平行面部２１ｂ及び傾斜面部２１ｃ、後側部材２２の平行面部２２ｂ及び傾斜面部２２ｃには突起が設けられておらず、表面が平坦となっている。しかしながら、図８に示すように、後側部材２２の平行面部２２ｂの後面に突起２２ｄを設け、この突起２２ｄを後側部材２２の他の部分とは異なる色彩としてもよい。このような構成によれば、突起２２ｄを使用することで射出口２０ａの位置を目立たせることができる。
【符号の説明】
【００４０】
１０  打ち込み工具
１１  工具本体
１２  グリップ
１３  マガジン
１４  トリガ
１５  ドライバ
１６  プッシャ
２０  ノーズ部
２０ａ  射出口
２０ｂ  平行面
２０ｃ  傾斜面
２１  前側部材
２１ａ  ボルト取付部
２１ｂ  平行面部
２１ｃ  傾斜面部
２１ｄ  溝
２２  後側部材
２２ａ  ボルト取付部
２２ｂ  平行面部
２２ｃ  傾斜面部
２２ｄ  突起
２３  ボルト
３０  被打込材
３１  さね
３２  角隅部
Ｗ１  前側部材の先端幅
Ｗ２  後側部材の先端幅
【図１】
2020011379.tif 000003
【図２】
2020011379.tif 000004
【図３】
2020011379.tif 000005
【図４】
2020011379.tif 000006
【図５】
2020011379.tif 000007
【図６】
2020011379.tif 000008
【図７】
2020011379.tif 000009
【図８】
2020011379.tif 000010
【手続補正書】
【提出日】令和1年11月19日(2019.11.19)
【手続補正１】
【補正対象書類名】特許請求の範囲
【補正対象項目名】全文
【補正方法】変更
【補正の内容】
【特許請求の範囲】
【請求項１】
釘を打ち出すためのドライバを往復動可能に案内するノーズ部を工具本体の先端に設け、前記ノーズ部の先端に開口する射出口から釘を射出可能にした打ち込み工具であって、
前記ノーズ部は、前記ドライバの前側を支持する前側部材と、前記ドライバの後側を支持する後側部材と、を備え、
前記後側部材は、前記前側部材に対して着脱可能に設けられるとともに、先端幅が前記前側部材の先端幅よりも小さく形成されていることを特徴とする、打ち込み工具。
【請求項２】
前記後側部材は、前記射出口へ向かって幅が狭くなる先細り形状を備えることを特徴とする、請求項１記載の打ち込み工具。
【請求項３】
前記後側部材の先端幅が前記射出口の幅と等しいことを特徴とする、請求項１または２記載の打ち込み工具。
【請求項４】
前記後側部材は、前記前側部材にボルトで固定されていることを特徴とする、請求項１〜３のいずれか一項に記載の打ち込み工具。
【請求項５】
前記後側部材に前記射出口の両端位置を示す突起を形成したことを特徴とする、請求項１〜４のいずれか一項に記載の打ち込み工具。
【手続補正２】
【補正対象書類名】明細書
【補正対象項目名】全文
【補正方法】変更
【補正の内容】
【発明の詳細な説明】
【技術分野】
【０００１】
この発明は、例えばフロア施工などに使用される打ち込み工具に関する。
【背景技術】
【０００２】
この種の打ち込み工具は、被打込材に工具先端のノーズ部を押し付けて釘を打ち込むため、ノーズ部の先端幅を大きくすることで打ち込み時の姿勢を安定させることができる。一方で、ノーズ部の先端幅を大きくし過ぎると射出口の位置が分かりにくくなり、狙いの位置に釘を打ち込めないという問題がある。
【０００３】
このような問題に関し、特許文献１には、ノーズ部の先端前面に凹部を設け、この凹部を打ち込み位置の目印と使用できるようにした発明が開示されている。この発明によれば、凹部によって射出口の位置が分かるので、ノーズ部の先端幅を大きくしても狙いの位置に釘を打ち込みやすくなる。
【先行技術文献】
【特許文献】
【０００４】
【特許文献１】特許第５３５４８３９号公報
【発明の概要】
【発明が解決しようとする課題】
【０００５】
ところで、フロア材をさね接ぎによって施工する場合、打ち込み工具を４５度の角度で前傾させてステープル釘をフロア材のさねの角隅部に打ち込む（図５参照）。このとき、打ち込み工具は前傾しているため、打ち込み工具の前面を見ることはできない。よって、特許文献１のように前面に目印を付けた構成では、目印を見ることができない場合があった。
【０００６】
そこで、本発明は、ノーズ部の先端幅を大きくして打ち込み時の姿勢を安定させることができ、かつ、打ち込み工具が前傾した状態でも射出口の位置が容易に判別できる打ち込み工具を提供することを課題とする。
【課題を解決するための手段】
【０００７】
本発明は、上記した課題を解決するためになされたものであり、以下を特徴とする。
【０００８】
請求項１記載の発明は、釘を打ち出すためのドライバを往復動可能に案内するノーズ部を工具本体の先端に設け、前記ノーズ部の先端に開口する射出口から釘を射出可能にした打ち込み工具であって、前記ノーズ部は、前記ドライバの前側を支持する前側部材と、前記ドライバの後側を支持する後側部材と、を備え、前記後側部材は、前記前側部材に対して着脱可能に設けられるとともに、先端幅が前記前側部材の先端幅よりも小さく形成されていることを特徴とする。
【０００９】
請求項２に記載の発明は、上記した請求項１に記載の発明の特徴点に加え、前記後側部材は、前記射出口へ向かって幅が狭くなる先細り形状を備えることを特徴とする。
【００１０】
請求項３に記載の発明は、上記した請求項２に記載の発明の特徴点に加え、前記後側部材の先端幅が前記射出口の幅と等しいことを特徴とする。
【００１１】
請求項４に記載の発明は、上記した請求項１〜３のいずれかに記載の発明の特徴点に加え、前記後側部材は、前記前側部材にボルトで固定されていることを特徴とする。
【００１２】
請求項５に記載の発明は、上記した請求項１〜４のいずれかに記載の発明の特徴点に加え、前記後側部材に前記射出口の両端位置を示す突起を形成したことを特徴とする。
【００１３】
【発明の効果】
【００１４】
請求項１に記載の発明は上記の通りであり、ノーズ部は、ドライバの前側を支持する前側部材と、ドライバの後側を支持する後側部材と、を備え、前記後側部材は、前記前側部材に対して着脱可能に設けられるとともに、先端幅が前記前側部材の先端幅よりも小さく形成されている。このような構成によれば、前側部材の先端幅を大きくすることでノーズ部の先端幅が大きくなり、打ち込み時の姿勢を安定させることができる。また、後側部材は先端幅が小さいので、この後側部材を目印にして射出口の位置を判別することができる。よって、打ち込み時の姿勢を安定させることと、射出位置を確認できることとを両立させることができる。また、表面に凹凸を形成しなくても射出位置の目印表示を実現できる。表面に凹凸を形成しない場合には、凹凸形状がフロア材等の表面を傷付けることもない。
【００１５】
【００１６】
【００１７】
また、請求項２に記載の発明は上記の通りであり、後側部材は、先細り形状を備える。このような構成によれば、後側部材の幅が射出位置に向けて絞り込まれるので、更に釘の打ち込み位置を狙いやすくすることができる。
【００１８】
また、請求項３に記載の発明は上記の通りであり、後側部材の先端幅が射出口の幅と等しい。このような構成によれば、射出口の位置をより正確に知ることができる。
【００１９】
また、請求項５に記載の発明は上記の通りであり、前記後側部材に前記射出口の両端位置を示す突起を形成した。このような構成によれば、突起を使用することで射出口の位置を目立たせることができる。
【図面の簡単な説明】
【００２０】
【図１】打ち込み工具の外観図である。
【図２】打ち込み工具の断面図である。
【図３】（ａ）ノーズ部の一部拡大斜視図、（ｂ）ノーズ部を後から見た一部拡大図である。
【図４】前側部材を後ろから見た一部拡大図である。
【図５】打ち込み工具の使用状態図である。
【図６】変形例１に係る（ａ）ノーズ部の一部拡大斜視図、（ｂ）ノーズ部を後から見た一部拡大図である。
【図７】変形例１に係る前側部材を後ろから見た一部拡大図である。
【図８】変形例２に係るノーズ部の一部拡大斜視図である。
【発明を実施するための形態】
【００２１】
本発明の実施形態について、図を参照しながら説明する。
【００２２】
本実施形態に係る打ち込み工具１０は、例えばフロア材のさね継ぎ作業に使用可能なものであり、図１に示すように、内部に打撃機構を備えた工具本体１１と、工具本体１１の後方に配置されたグリップ１２と、グリップ１２に操作可能に設けられたトリガ１４と、工具本体１１の先端付近に接続されたマガジン１３と、工具本体１１の先端から突出するように設けられたノーズ部２０と、を備える。
【００２３】
工具本体１１に内蔵された打撃機構は、公知の方法により作動するものであり、例えば圧縮空気、ガス燃料の爆発、バネの復元力などの力を利用してドライバ１５を作動させる。図２に示すように、ドライバ１５は釘を打ち出すためにノーズ部２０の方向へと移動可能となっており、打撃機構が衝撃的な力を発生させたときに釘の打ち込み方向に移動し、ノーズ部２０内にセットされた釘を打ち出すようになっている。
【００２４】
この打ち込み工具１０を使用するときには、グリップ１２を握り込んで把持し、トリガ１４を引き操作する。この操作により上記した打撃機構が作動して釘が打ち出される。
【００２５】
なお、マガジン１３内には、コ字形のステープル釘を連結した連結釘が収容されている。この連結釘は、プッシャ１６により前方へと押し付けられており、先頭の釘がノーズ部２０の方向（打ち込み動作前のドライバ１５の真下）へと順次供給されるようになっている。
【００２６】
ノーズ部２０は、被打込材３０に対して押し付け可能に突出しており、本実施形態においては安全装置の一部としての機能も果たす。すなわち、このノーズ部２０は、釘打ち込み方向に往復動可能に設けられており、その先端が工具本体１１から突出している。このノーズ部２０を被打込材３０に押し付けると、ノーズ部２０が工具本体１１に対して相対的に上方に移動する。このようにノーズ部２０が上方に移動すると、図示しないスイッチなどが押されて安全装置が解除され、釘の打ち込みが可能となる。言い換えると、ノーズ部２０が被打込材３０に押し付けられて上方に移動するまでは、トリガ１４が操作できない、またはトリガ１４を操作しても釘が打ち出されないように構成されている。
【００２７】
このノーズ部２０の先端には、図３等に示すように、射出口２０ａが開口形成されており、この射出口２０ａから釘を射出可能になっている。射出口２０ａは、ステープル釘を１本ずつ射出するので横長に形成されている。また、このノーズ部２０の前面及び後面は、釘の打ち出し方向に平行な平行面２０ｂと、平行面２０ｂよりも先端側に設けられた傾斜面２０ｃと、を備える。前後の傾斜面２０ｃは、それぞれ釘の打ち出し方向に対して約４５度の角度で傾斜しており、前側の傾斜面２０ｃと後側の傾斜面２０ｃとがノーズ部２０の先端においてほぼ直角に交わっている。
【００２８】
このノーズ部２０は、ドライバ１５の前側を支持する前側部材２１と、ドライバ１５の後側を支持する後側部材２２と、がボルト２３によって前後に結合されて構成されている。この前側部材２１と後側部材２２とが前後に合わさることで、前側部材２１と後側部材２２との間に釘の射出経路が形成されている。この射出経路は先端において開口して射出口２０ａを形成している。打撃機構が作動するとこの射出経路内をドライバ１５が往復動して釘が打ち込まれる。
【００２９】
前側部材２１は、図３及び図４に示すように、ボルト２３を取り付けるために設けられた一対のボルト取付部２１ａと、ボルト取付部２１ａの先端側に連続する平行面部２１ｂと、平行面部２１ｂの先端側に連続する傾斜面部２１ｃと、を備える。平行面部２１ｂは、ノーズ部２０の平行面２０ｂを形成する部位であり、前面及び後面が釘の射出方向と平行に形成されている。傾斜面部２１ｃは、ノーズ部２０の傾斜面２０ｃを形成する部位であり、前面及び後面が釘の射出方向に対して傾いている。この前側部材２１の後面中央には上下に溝２１ｄが形成されており、この溝２１ｄを後側部材２２で覆うことで釘の射出経路が形成されている。
【００３０】
後側部材２２は、ボルト２３を取り付けるために設けられた一対のボルト取付部２２ａと、ボルト取付部２２ａの先端側に連続する平行面部２２ｂと、平行面部２２ｂの先端側に連続する傾斜面部２２ｃと、を備える。平行面部２２ｂは、ノーズ部２０の平行面２０ｂを形成する部位であり、前面及び後面が釘の射出方向と平行に形成されている。傾斜面部２２ｃは、ノーズ部２０の傾斜面２０ｃを形成する部位であり、前面が釘の射出方向に対して傾いている。なお、本実施形態においては、平行面部２２ｂは後方から見て先細り形状となっており、また、傾斜面部２２ｃも後方から見て先細り形状となっている。
【００３１】
ところで、図３（ｂ）に示すように、後側部材２２の先端幅Ｗ２は前側部材２１の先端幅Ｗ１よりも小さく形成されている。また、後側部材２２は前側部材２１とは異なる色彩を有している。具体的には、前側部材２１はメッキによる表面処理を施されて金属色となっており、後側部材２２は黒染めの塗装による表面処理が施されて黒色となっている。このように構成することで、図５に示すように、被打込材３０のさね３１に釘を打ち込むときでも射出口２０ａの位置を把握しやすくなっている。
【００３２】
すなわち、フロア材を下地材に釘固定するときは、ノーズ部２０の先端を被打込材３０のさね３１の角隅部３２に当てて釘を打ち込む。このとき、作業者はノーズ部２０を後方から見ながら釘の打ち込み位置を確認することになる。本実施形態の後側部材２２の先端幅Ｗ２は、前側部材２１の先端幅Ｗ１（すなわちノーズ部２０の先端幅）よりも小さくなっており、後側部材２２の延長線上に射出口２０ａが設けられているので、作業者は後側部材２２を見ることで射出口２０ａの位置を予測して作業することができる。特に、本実施形態では、後側部材２２の先端幅Ｗ２が射出口２０ａの幅と等しいので、打ち込み位置を正確に予測して作業することができる。そして、後側部材２２は視認しやすいように前側部材２１とは異なる色彩となっており、暗所等の作業であっても射出口２０ａの位置を容易に識別することができる。
【００３３】
以上説明したように、本実施形態によれば、ノーズ部２０は、ドライバ１５の前側を支持する前側部材２１と、ドライバ１５の後側を支持する後側部材２２と、を備え、後側部材２２の先端幅Ｗ２は前側部材２１の先端幅Ｗ１よりも小さく形成されており、後側部材２２は前側部材２１とは異なる色彩を有する。このような構成によれば、前側部材２１の先端幅Ｗ１を大きくすることでノーズ部２０の先端幅が大きくなり、打ち込み時の姿勢を安定させることができる。また、後側部材２２は先端幅が小さく色彩が異なるので、この後側部材２２を目印にして射出口２０ａの位置を判別することができる。よって、打ち込み時の姿勢を安定させることと、射出位置を確認できることとを両立させることができる。また、表面に凹凸を形成しなくても射出位置の目印表示を実現できるので、凹凸形状がフロア材等の表面を傷付けることもない。
【００３４】
また、後側部材２２と前側部材２１とを異なる色彩とするために、後側部材２２または前側部材２１の少なくともいずれかにメッキ又は塗装による表面処理が施されている。このような構成によれば、例えばシールのようなものとは違って容易には剥がれ落ちないので、射出位置の目印表示の耐久性を高めることができる。
【００３５】
また、複数の部材（前側部材２１と後側部材２２）を組み合わせることで色彩の違いを実現しているので、射出位置を表すために、どちらか一方の部材を部分的に着色したり塗装を塗り分けたりする必要が無い。特にメッキや黒染めなどは部分的に色彩を変える事が困難であるが、前側部材２１と後側部材２２に異なる表面処理を施すだけで良いので、作業工程を増やすことがなく、生産コストを抑える事ができる。
【００３６】
また、後側部材２２は、射出口２０ａへ向かって幅が狭くなる先細り形状を備える。このような構成によれば、後側部材２２の幅が射出位置に向けて絞り込まれるので、更に釘の打ち込み位置を狙いやすくすることができる。
【００３７】
また、後側部材２２の先端幅Ｗ２が射出口２０ａの幅と等しい。このような構成によれば、射出口２０ａの位置をより正確に知ることができる。
【００３８】
なお、後側部材２２の形状は上記した実施形態の形状に限らず、打ち込み工具１０の使用釘等に応じて適宜変更可能である。例えば図６及び図７に示すように、平行面部２２ｂのみを後方から見て先細り形状とし、傾斜面部２２ｃは先細り形状としなくてもよい。このような形状であっても、後側部材２２は全体として先細り形状で形成されているので、後側部材２２の幅が射出位置に向けて絞り込まれており、釘の打ち込み位置を狙いやすくすることができる。
【００３９】
また、上記した実施形態においては、前側部材２１の平行面部２１ｂ及び傾斜面部２１ｃ、後側部材２２の平行面部２２ｂ及び傾斜面部２２ｃには突起が設けられておらず、表面が平坦となっている。しかしながら、図８に示すように、後側部材２２の平行面部２２ｂの後面に突起２２ｄを設け、この突起２２ｄを後側部材２２の他の部分とは異なる色彩としてもよい。このような構成によれば、突起２２ｄを使用することで射出口２０ａの位置を目立たせることができる。
【符号の説明】
【００４０】
１０  打ち込み工具
１１  工具本体
１２  グリップ
１３  マガジン
１４  トリガ
１５  ドライバ
１６  プッシャ
２０  ノーズ部
２０ａ  射出口
２０ｂ  平行面
２０ｃ  傾斜面
２１  前側部材
２１ａ  ボルト取付部
２１ｂ  平行面部
２１ｃ  傾斜面部
２１ｄ  溝
２２  後側部材
２２ａ  ボルト取付部
２２ｂ  平行面部
２２ｃ  傾斜面部
２２ｄ  突起
２３  ボルト
３０  被打込材
３１  さね
３２  角隅部
Ｗ１  前側部材の先端幅
Ｗ２  後側部材の先端幅